(57)【要約】      （修正有）【課題】使用者の小便の周辺への飛散を回避する登山用簡易トイレを提供する。【解決手段】登山用簡易トイレにおいて、平たく折り畳まれたブランクから形成される箱状便器１０の底面板１５を山の勾配面の上に載置した状態で、該箱状便器１０の底面板１５における山の下り側に位置する前縁部から立上がる前面板１１の高さｈ1が、該底面板１５における山の上り側に位置する後縁部から立上がる後面板１２の高さｈ2より高く設定されてなるもの。【選択図】図２
0003187247.tif 000002
【実用新案登録請求の範囲】
【請求項１】
平たく折り畳まれたブランクから形成される箱状便器の底面板を山の勾配面の上に載置した状態で、該箱状便器の底面板における山の下り側に位置する前縁部から立上がる前面板の高さが、該底面板における山の上り側に位置する後縁部から立上がる後面板の高さより高く設定され、該底面板の左右の側縁部から立上がる左右の側面板の各上縁部が前面板の上端部と後面板の上端部とを連結するように延在されてなり、
使用者は山の勾配面の上で山の下り側に向かい、上記の箱状便器を跨いでしゃがみ、用足し可能にする登山用簡易トイレ。
【請求項２】
前記使用者の頭を出して着用するポンチョを付帯的に有し、用足し中の使用者の身体及び箱状便器の全体をポンチョにより被覆可能にする請求項１に記載の登山用簡易トイレ。
【請求項３】
前記箱状便器の内側に排泄物受材を敷き、該配設物受材の上に吸水凝固剤を配置可能にする請求項１又は２に記載の登山用簡易トイレ。
【請求項４】
前記箱状便器が、ポンチョ、排泄物受材、吸水凝固剤、ティシュペーパー、持ち帰り用袋とともに、携帯用容器に収容されてなる請求項３に記載の登山用簡易トイレ。
【考案の詳細な説明】
【技術分野】
【０００１】
本考案は、登山用簡易トイレに関する。
【背景技術】
【０００２】
従来、簡易トイレとして、特許文献１に記載の如く、平らに折り畳まれたブランクから紙製角筒状の箱状便器を形成し、この箱状便器の内部に排泄物収納袋を配置し、この排泄物収納袋の内部に吸水消臭材を納め、箱状便器の上部に覆い被せることのできる蓋体を備えたものがある。
【０００３】
特許文献１に記載の簡易トイレは、箱状便器を平面状に折り畳み、箱状便器と排泄物収納袋を逆さにした蓋体の中に納めて、小さく持ち歩くことができるとしている。
【先行技術文献】
【特許文献】
【０００４】
【特許文献１】実開平7-11997
【考案の概要】
【考案が解決しようとする課題】
【０００５】
特許文献１に記載の簡易トイレを構成する箱状便器は直方体状をなし、前面板、後面板、左右の側面板のそれぞれが底面板から立上がる高さを同一にしている。
【０００６】
このような特許文献１に記載の簡易トイレを登山にて用いようとするときには、使用者は、箱状便器の底面板を山の勾配面の上に載置した状態で、山の下り側に向かって該箱状便器を跨いでしゃがみ、用足しするものになる。このとき、箱状便器における後面板の高さは、山の勾配面の上でしゃがみこんだ使用者の臀部が触れることのない低い高さに設定される。
【０００７】
従って、特許文献１に記載の簡易トイレにあっては、箱状便器の後面板の高さが低く、ひいてはこれと同一高さの前面板の高さも低いものになる。この場合、用を足す使用者の小便は、高さの低い前面板を飛び越えて箱状便器の外方への飛散し、周辺環境を汚損し、使用者の衣服を汚損するおそれがある。
【０００８】
本考案の課題は、登山用簡易トイレにおいて、使用者の小便の周辺への飛散を回避することにある。
【課題を解決するための手段】
【０００９】
請求項１に係る考案は、平たく折り畳まれたブランクから形成される箱状便器の底面板を山の勾配面の上に載置した状態で、該箱状便器の底面板における山の下り側に位置する前縁部から立上がる前面板の高さが、該底面板における山の上り側に位置する後縁部から立上がる後面板の高さより高く設定され、該底面板の左右の側縁部から立上がる左右の側面板の各上縁部が前面板の上端部と後面板の上端部とを連結するように延在されてなり、使用者は山の勾配面の上で山の下り側に向かい、上記の箱状便器を跨いでしゃがみ、用足し可能にするようにしたものである。
【００１０】
請求項２に係る考案は、請求項１に係る考案において更に、前記使用者の頭を出して着用するポンチョを付帯的に有し、用足し中の使用者の身体及び箱状便器の全体をポンチョにより被覆可能にするようにしたものである。
【００１１】
請求項３に係る考案は、請求項１又は２に係る考案において更に、前記箱状便器の内側に排泄物受材を敷き、該配設物受材の上に吸水凝固剤を配置可能にするようにしたものである。
【００１２】
請求項４に係る考案は、請求項３に係る考案において更に、前記箱状便器が、ポンチョ、排泄物受材、吸水凝固剤、ティシュペーパー、持ち帰り用袋とともに、携帯用容器に収容されてなるようにしたものである。
【考案の効果】
【００１３】
（請求項１）
(a)平たく折り畳まれたブランクから形成される箱状便器の底面板を山の勾配面の上に載置した状態で、該箱状便器の底面板における山の下り側に位置する前縁部から立上がる前面板の高さが、該底面板における山の上り側に位置する後縁部から立上がる後面板の高さより高く設定される。従って、箱状便器における後面板の高さを、山の勾配面の上でしゃがみ込んで用足しする使用者の臀部が触れることのない低い高さに設定しながら、前面板の高さを高く設定できる。これにより、用を足す使用者の小便は、高さの高い前面板の小便遮断作用により該前面板を飛び越えることなく、箱状便器の内部に捕捉されて箱状便器の外方へと飛散することがないから、周辺環境を汚損することがないし、使用者の衣服を汚損するおそれもない。
【００１４】
(b)箱状便器の底面板の左右の側縁部から立上がる左右の側面板の各上縁部が前面板の上端部と後面板の上端部とを連結するように延在される。従って、箱状便器の前面板、後面板、及び左右の側面板の各板の上縁部が箱の周囲に渡って連続し、箱強度を確保できる。立上り高さの高い前面板が高さ方向の全域で左右の側面板に連設されるものになり、前面板の立上り部の耐屈曲性が向上される。
【００１５】
（請求項２）
(c)前記使用者の頭を出して着用するポンチョを付帯的に有し、用足し中の使用者の身体及び箱状便器の全体をポンチョにより被覆可能にする。使用者が用足しのために箱状便器を跨いでしゃがむと同時に、用足し中の使用者の身体及び箱状便器の全体をポンチョにより簡易に覆い隠し、安心して使用できる。
【００１６】
尚、ポンチョは、箱状便器の全体を覆い隠しながらも、前面板の立上り部の小便遮断作用により、使用者の小便によって汚損されるおそれがない。
【００１７】
（請求項３）
(d)前記箱状便器の内側に排泄物受材を敷き、該排泄物受材の上に吸水凝固剤を配置可能にすることにより、排泄物を直ちに吸水固化して容易に持ち帰り処理できる。
【００１８】
（請求項４）
(e)前記箱状便器が、ポンチョ、排泄物受材、吸水凝固剤、ティッシュペーパー、持ち帰り用袋とともに、携帯用容器に収容されることにより、登山用簡易トイレの構成部材の全体を小さくまとめ、簡易に携帯して登山できる。
【図面の簡単な説明】
【００１９】
【図１】図１は登山用簡易トイレの部材構成を示す模式図である。
【図２】図２は箱状便器を示す模式図である。
【図３】図３は登山用簡易トイレの使用状態を示す模式図である。
【考案を実施するための形態】
【００２０】
登山用簡易トイレ１００は、図１に示す如く、展開ブランク１０Ａを胴貼りして平たく折り畳まれた胴貼りブランク１０Ｂからなる箱状便器１０、ポンチョ２０、排泄物受材３０、吸水凝固剤４０、ティシュペーパー５０、持ち帰り用袋６０とともに、袋状等の携帯用容器７０に収容されて携帯可能にされる。
【００２１】
箱状便器１０は、図２に示した板紙、合成樹脂板等からなる展開ブランク１０Ａから形成される。即ち、展開ブランク１０Ａは、図２（Ｂ）に示す如く、前面板１１、後面板１２、左右の側面板１３、１３を折り罫線を介して連結し、左側面板１３に糊フラップ１４を連設している。また、展開ブランク１０Ａは、各板１１、１２、１３、１３の下縁部のそれぞれに、折り罫線を介して底フラップ１５Ａ〜１５Ｄを連設している。展開ブランク１０Ａは、後面板１２の側縁部の裏面に糊フラップ１４を接着され、図１に示す如くに平たく折り畳まれた胴貼りブランク１０Ｂとなる。使用者は、使用時に胴貼りブランク１０Ｂを引き起こして筒状にし、底フラップ１５Ａ〜１５Ｄを折り曲げて組底とした底面板１５を組み上げ、上部開口を備える箱状便器１０（図２（Ａ））を形成する。
【００２２】
箱状便器１０は、図３に示す如く、底面板１５を山の勾配面１の上に載置した状態で、下記(1)、(2)を構成する。
【００２３】
(1)箱状便器１０の底面板１５における山の下り側に位置することとなる前縁部から立上がる前面板１１の高さｈ1が、底面板１５における山の上り側に位置することとなる後縁部から立上がる後面板１２の高さｈ2より高く設定される。本実施例において、前面板１１の上縁部は上に凸の湾曲状をなし、湾曲状上縁部の幅方向中央部の高さを最大高さｈ2としている。
【００２４】
(2)底面板１５の左右の側縁部から立上がる左右の側面板１３、１３の各上縁部が、前面板１１の上端部と後面板１２の上端部とを連結するように延在される。
【００２５】
左右の側面板１３、１３の各上縁部は、直線状であっても、曲線状であっても良い。本実施例では、左右の側面板１３、１３の各上縁部は、直線状をなし、箱状便器１０の組立状態の側面視（図２（Ａ））で、前面板１１に対して鋭角αをなす斜線となるように設定される。
【００２６】
ポンチョ２０は、使用者が頭を出して着用可能にする。登山用簡易トイレ１００を用いる使用者の用足し時に、使用者が着用したポンチョ２０は使用者の身体及び箱状便器１０の全体を外界に対して覆い隠す。
【００２７】
排泄物受材３０は、箱状便器１０の内側に落とし込まれるようにして敷き設けられ、用足しする使用者の排泄物を受容する。排泄物受材３０は、防水紙、又は合成樹脂等の折り畳みシート、又は袋からなり、排泄物の受容後に該排泄物を密封するように封止可能にされる。
【００２８】
吸水凝固剤４０は、箱状便器１０の内側に敷き設けられた排泄物受材３０の上に配置される。吸水凝固剤４０は、排泄物受材３０が受容した排泄物の水分を直ちに吸水し、該排泄物を固化する。吸水凝固剤４０は、芳香防臭剤を添加され、用便時に芳香防臭の機能を果たすものとすることもできる。
【００２９】
以下、登山用簡易トイレ１００の使用手順について説明する。
(1)登山に際し、使用者は、箱状便器１０の折り畳まれた胴貼りブランク１０Ｂ、ポンチョ２０、排泄物受材３０を、吸水凝固剤４０、ティシュペーパー５０、持ち帰り用袋６０とともに携帯用容器７０に収容して携帯する。
【００３０】
(2)用便に際し、使用者は、携帯用容器７０から取出した胴貼りブランク１０Ｂを引き起こす等して箱状便器１０を形成し、箱状便器１０の内部に排泄物受材３０を敷き設け、排泄物受材３０の上に吸水凝固剤４０を配置する。
【００３１】
更に、使用者はポンチョ２０を着用し、山の勾配面１の上で山の下り側に相対するように向かい、箱状便器１０を跨いでしゃがみ、ティシュペーパー５０を用いて用足しする。このとき、ポンチョ２０は使用者の身体及び箱状便器１０の全体を外界に対して覆い隠す。
【００３２】
用足し後、使用者は、排泄物受材３０に受容されて吸水凝固剤４０により吸水固化された排泄物を排泄物受材３０に密封し、この排泄物受材３０を持ち帰り用袋６０に収納する。
【００３３】
(3)使用者は、用足し後の箱状便器１０を再び平らに折り畳んで胴貼りブランク１０Ｂとするとともに、ポンチョ２０を折り畳み、これらの胴貼りブランク１０Ｂ、ポンチョ２０を予備の排泄物受材３０、吸水凝固剤４０、ティシュペーパー５０、持ち帰り用袋６０とともに携帯用容器７０に収容する。これにより、再使用に備えた登山用簡易トイレ１００を再構築し、登山を続行し得るものになる。
【００３４】
本実施例によれば以下の作用効果を奏する。
(a)平たく折り畳まれたブランク１０Ｂから形成される箱状便器１０の底面板１５を山の勾配面１の上に載置した状態で、該箱状便器１０の底面板１５における山の下り側に位置する前縁部から立上がる前面板１１の高さｈ1が、該底面板１５における山の上り側に位置する後縁部から立上がる後面板１２の高さｈ2より高く設定される。従って、箱状便器１０における後面板１２の高さｈ2を、山の勾配面１の上でしゃがみ込んで用足しする使用者の臀部が触れることのない低い高さｈ2に設定しながら、前面板１１の高さｈ1を高く設定できる。これにより、用を足す使用者の小便は、高さの高い前面板１１の小便遮断作用により該前面板１１を飛び越えることなく、箱状便器１０の内部に捕捉されて箱状便器１０の外方へと飛散することがないから、周辺環境を汚損することがないし、使用者の衣服を汚損するおそれもない。
【００３５】
(b)箱状便器１０の底面板１５の左右の側縁部から立上がる左右の側面板１３、１３の各上縁部が前面板１１の上端部と後面板１２の上端部とを連結するように延在される。従って、箱状便器１０の前面板１１、後面板１２、及び左右の側面板１３、１３の各板１１、１２、１３、１３の上縁部が箱の周囲に渡って連続し、箱強度を確保できる。立上り高さの高い前面板１１が高さ方向の全域で左右の側面板１３、１３に連設されるものになり、前面板１１の立上り部の耐屈曲性が向上される。
【００３６】
(c)前記使用者の頭を出して着用するポンチョ２０を付帯的に有し、用足し中の使用者の身体及び箱状便器１０の全体をポンチョ２０により被覆可能にする。使用者が用足しのために箱状便器１０を跨いでしゃがむと同時に、用足し中の使用者の身体及び箱状便器１０の全体をポンチョ２０により簡易に覆い隠し、安心して使用できる。
【００３７】
尚、ポンチョ２０は、箱状便器１０の全体を覆い隠しながらも、前面板１１の立上り部の小便遮断作用により、使用者の小便によって汚損されるおそれがない。
【００３８】
(d)前記箱状便器１０の内側に排泄物受材３０を敷き、該排泄物受材３０の上に吸水凝固剤４０を配置可能にすることにより、排泄物を直ちに吸水固化して容易に持ち帰り処理できる。
【００３９】
(e)前記箱状便器１０が、ポンチョ２０、排泄物受材３０、吸水凝固剤４０、ティシュペーパー５０、持ち帰り用袋６０とともに、携帯用容器７０に収容されることにより、登山用簡易トイレの構成部材の全体を小さくまとめ、簡易に携帯して登山できる。
【００４０】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００４１】
本考案に係る登山用簡易トイレは、平たく折り畳まれたブランクから形成される箱状便器の底面板を山の勾配面の上に載置した状態で、該箱状便器の底面板における山の下り側に位置する前縁部から立上がる前面板の高さが、該底面板における山の上り側に位置する後縁部から立上がる後面板の高さより高く設定され、該底面板の左右の側縁部から立上がる左右の側面板の各上縁部が前面板の上端部と後面板の上端部とを連結するように延在されてなり、使用者は山の勾配面の上で山の下り側に向かい、上記の箱状便器を跨いでしゃがみ、用足し可能にする。これにより、登山用簡易トイレにおいて、使用者の小便の周辺への飛散を回避することができる。
【符号の説明】
【００４２】
１０  箱状便器
１０Ａ、１０Ｂ  ブランク
１１  前面板
１２  後面板
１３  側面板
１５  底面板
２０  ポンチョ
３０  排泄物受材
４０  吸水凝固剤
５０  ティシュペーパー
６０  持ち帰り用袋
７０  携帯用容器
１００  登山用簡易トイレ
【図１】
0003187247.tif 000003
【図２】
0003187247.tif 000004
【図３】
0003187247.tif 000005